(57)【要約】【課題】工具箱及び工具の保管方法において、予め許可された特定の作業者が工具箱を開けること、及び工具箱内に収容された工具類の中に所望の工具が短時間で確認することが出来る工具箱及び工具の保管方法。【解決手段】工具箱本体と、予め登録した特定のＩＤを持つ作業者が携帯するＲＦ−ＩＤカードのＩＤ信号を受信する機能を具備した第１ＲＦ−ＩＤ読み取り装置と、特定のＩＤを登録したテーブルと、該ＩＤテーブルより照合する機能と、第１ＲＦ−ＩＤ読み取り装置の読み取ったＩＤ及びＩＤテーブルを照合し、一致した場合、解鍵する命令を出す機能とを具備したＩＤ照合処理部と、命令を受信し、鍵を開封する機能を具備した鍵より構成されたＲＦ−ＩＤ読み取り機能付き工具箱と、ＲＦ−ＩＤタグ付き工具で、発信したＩＤ信号が携帯するＲＦ−ＩＤカードの第２ＲＦ−ＩＤ読み取り装置で、読み取られ、その工具の存在が確認されるＲＦ−ＩＤタグ付き工具。【選択図】図１
2005207167.tif 000002
【特許請求の範囲】
【請求項１】
予め決められた複数の工具類を収容し、一括保管する工具箱において、工具箱本体と、予め登録した特定のＩＤを持つ作業者が携帯するＲＦ−ＩＤカードが発信するＩＤ信号を受信する機能を具備した第１ＲＦ−ＩＤ読み取り装置と、予め登録した特定のＩＤを登録したテーブルと、該ＩＤテーブルより照合する機能と、第１ＲＦ−ＩＤ読み取り装置が受信し、読み取ったＩＤと、ＩＤテーブルに登録されたＩＤとを照合し、一致するか否かを判定する機能と、ＩＤが一致した場合、鍵を解鍵する命令を出す機能とを具備したＩＤ照合処理部と、解鍵する命令を受信し、鍵を開封する機能を具備した前記工具箱本体を密封する鍵より構成されたことを特徴とするＲＦ−ＩＤ読み取り機能付き工具箱。
【請求項２】
作業中に使用する予め決められた複数の工具において、各々の工具にＲＦ−ＩＤタグが付設されたＲＦ−ＩＤタグ付き工具であって、前記ＲＦ−ＩＤタグが発信したＩＤ信号が作業者が携帯する第２ＲＦ−ＩＤ読み取り装置によって、読み取られ、実際に視認しなくてもその工具の存在が確認されることを特徴とするＲＦ−ＩＤタグ付き工具。
【発明の詳細な説明】
【技術分野】
【０００１】
本発明は、予め決められた複数の工具類を収容し、一括保管する工具箱及び工具に関する。
【背景技術】
【０００２】
機械や装置の解体、又は組み立て作業、又は保守点検作業を行う際に使用する種々の工具は、通常は、専用の工具箱に収容して保管する。作業を行うときは、使用する種別の工具を、保管している工具箱から取り出してからその工具を使用する。そのため、通常では、保管責任者を場合場合に個別に決めて、その工具箱及びそれに収容した工具を保管することが一般に実行されている。その際、不特定多数の作業者が工具箱を勝手に開けて工具類を持ち出してしまうと、その作業者が元の場所に返却せずに、放置したり、本来保管すべき工具箱とは異なる別の工具箱に誤って返却し、そのまま保管してしまうことにより、工具が紛失する危険性が高くなる問題がある。
【０００３】
また、工具箱の中には、通常、多数で多種類の工具が保管されており、その中に目的の工具が含まれているかどうかを探す場合は、一個一個、工具を取り出して確認しなければならず、非常に煩雑で時間がかかる作業であるために、作業時間が無駄になってしまう問題がある（特許文献１参照）。
【０００４】
以下に公知文献を記す。
【特許文献１】特開平１０―５９４０７号公報
【発明の開示】
【発明が解決しようとする課題】
【０００５】
本発明の課題は、予め許可された特定の作業者のみが工具箱を開けることが出来るようにすること、及び工具箱内の収容された工具類の中に所望の工具が入っているかどうかを簡便に短時間で確認することが出来る工具箱及び工具の保管方法である。
【課題を解決するための手段】
【０００６】
本発明の請求項１に係る発明は、予め決められた複数の工具類を収容し、一括保管する工具箱において、工具箱本体と、予め登録した特定のＩＤを持つ作業者が携帯するＲＦ−ＩＤカードが発信するＩＤ信号を受信する機能を具備した第１ＲＦ−ＩＤ読み取り装置と、予め登録した特定のＩＤを登録したテーブルと、該ＩＤテーブルより照合する機能と、第１ＲＦ−ＩＤ読み取り装置が受信し、読み取ったＩＤと、ＩＤテーブルに登録されたＩＤとを照合し、一致するか否かを判定する機能と、ＩＤが一致した場合、鍵を解鍵する命令を出す機能とを具備したＩＤ照合処理部と、解鍵する命令を受信し、鍵を開封する機能を具備した前記工具箱本体を密封する鍵より構成されたことを特徴とするＲＦ−ＩＤ読み取り機能付き工具箱である。
【０００７】
次に、本発明の請求項２に係る発明は、作業中に使用する予め決められた複数の工具において、各々の工具にＲＦ−ＩＤタグが付設されたＲＦ−ＩＤタグ付き工具であって、前記ＲＦ−ＩＤタグが発信したＩＤ信号が作業者が携帯する第２ＲＦ−ＩＤ読み取り装置によって、読み取られ、実際に視認しなくてもその工具の存在が確認されることを特徴とするＲＦ−ＩＤタグ付き工具である。
【発明の効果】
【０００８】
不特定多数の作業者が、工具箱を勝手に開けて工具を持ち出すことを回避することが出来るので、工具類が紛失する危険性が極めて少なくなる。また、工具箱の中の工具を、一個一個と取り出して確認することなく、工具箱の中の所望の工具の在否を確認することが出来るので、工具類を探索する時間を大幅に削減して、装置の組み立てや保守点検等の作業時間を大幅に短縮することが出来る。さらに、本発明の方法により、設備稼働時間を損なう問題を解消できる効果がある。
【発明を実施するための最良の形態】
【０００９】
本発明の一実施形態に基づいて以下説明する。
【００１０】
図１は、本発明のＲＦ−ＩＤ読み取り機能付き工具箱及びＲＦ−ＩＤタグ付き工具と、作業者との工具管理を説明する図で、（ａ）は、説明図で、（ｂ）は、管理手順のフロー図である。図１（ａ）に示すように、ＲＦ−ＩＤ読み取り機能付き工具箱（１）と、その工具箱に収容するＲＦ−ＩＤタグ付き工具（２）と、工具を使用する作業者（３０）により管理運営する手順を簡素化、自動化してものである。
【００１１】
図１の（ａ）及び（ｂ）を参照し、説明する。図１（ｂ）のフロー図ａでは、前記作業者（３０）に、ＩＤのコードを付与し、該ＩＤを持つ携帯ＲＦ−ＩＤカード（３１）を携帯させる。前記ＲＦ−ＩＤカードは、第２ＲＦ−ＩＤ読み取り装置の機能が装備されたものである。フロー図ｂでは、ＩＤテーブル（１３）に前記作業者ＩＤを登録する。該ＩＤテーブルに記載された作業者のみに工具の使用を許可することになる。フロー図ｃでは、作業者の携帯ＲＦ−ＩＤカード（３１）より工具箱の解鍵要請を発信する。フロー図ｄでは、発信された該解鍵要請を第１ＲＦ−ＩＤ読み取り装置（１２）で受信する。フロー図ｅでは、ＩＤ照合処理部（１４）により、受信した作業者ＩＤと工具箱内のＩＤテーブルの作業者ＩＤとを照合し、一致した場合（フロー図ｆ参照）、ＩＤ照合処理部（１４）により、解鍵指令を発信する（フロー図ｇ参照）。フロー図ｈでは、指令に従って、解鍵する。
【００１２】
図２は、本発明の一実施例を説明する図であり、（ａ）は、ＲＦ−ＩＤ読み取り機能付き工具箱で、（ｂ）は、ＲＦ−ＩＤタグ付き工具である。図２（ａ）に示すように、工具箱本体（１０）は、工具箱の表面に扉があり、常時施錠されている。工具箱の表面には、ＲＦ−ＩＤタグと、第１ＲＦ−ＩＤ読み取り装置（１２）が装備されている。更に、図１で記述した機能を備えたＲＦ−ＩＤ読み取り機能付き工具箱（１）である。ＲＦ−ＩＤ読み取り機能付き工具箱（１）は、事前に許諾した作業員のみにその使用を認め、該作業者からの使用要求に対して、解鍵する工具箱である。
【００１３】
次に、図２（ｂ）のＲＦ−ＩＤタグ付き工具（２）では、工具（２０）毎に、ＲＦ−ＩＤタグ２１を張り合わせたものである。常時、工具箱の定められた位置に、工具（２０）は、収容されている。該工具（２０）は、ＲＦ−ＩＤタグ２１内に、工具ＩＤが登録されている。例えば、工具の定期点検時、作業者３０（又は、点検者）が、第２ＲＦ−ＩＤ読み取り装置（３２）により、前記ＲＦ−ＩＤタグ２１内の工具ＩＤの読み取りを行う。前記工具ＩＤの信号を受信した場合、該工具は工具箱内に保管されていると判断される。すなわち、点検者は、当該の工具箱に収容された全工具の工具ＩＤのリストと照合するのみで工具の収容状況を把握する手順である（図１（ａ）参照）。
【図面の簡単な説明】
【００１４】
【図１】本発明のＲＦ−ＩＤ読み取り機能付き工具箱及びＲＦ−ＩＤタグ付き工具と、作業者との工具管理を説明する図で、（ａ）は、説明図で、（ｂ）は、管理手順のフロー図である。
【図２】本発明の一実施例を説明する図であり、（ａ）は、ＲＦ−ＩＤ読み取り機能付き工具箱で、（ｂ）は、ＲＦ−ＩＤタグ付き工具である。
【符号の説明】
【００１５】
１…ＲＦ−ＩＤ読み取り機能付き工具箱
２…ＲＦ−ＩＤタグ付き工具
１０…工具箱本体
１２…第１ＲＦ−ＩＤ読み取り装置
１３…ＩＤテーブル
１４…ＩＤ照合処理部
１５…鍵
２０…工具
２１…ＲＦ−ＩＤタグ
３０…作業者
３２…第２ＲＦ−ＩＤ読み取り装置
【図１】
2005207167.tif 000003
【図２】
2005207167.tif 000004